(57)【要約】【課題】低コストで電気負荷の作動を抑止可能なスイッチを提供する。【解決手段】可動接点４６は、一方のオン位置では第１負荷端子４１に接続し、他方のオン位置では電源側端子４２に接続し、且つオフ位置では第１負荷端子４１及び電源側端子４２の両方から離間する第１接点４６ａと、他方のオン位置では第２負荷端子４３に接続し、一方のオン位置では電源側端子４２に接続し、且つオフ位置では第２負荷端子４３及び電源側端子４２の両方から離間する第２接点４６ｂと、オフ位置ではグランド端子４４に接続し、一方のオン位置若しくは他方のオン位置ではグランド端子４４から離間するグランド接点４６ｃとを備え、オフ位置では、第１負荷端子４１、第１接点４６ａ間の距離ａ１を、第１負荷端子４１、電源側端子４２間の距離ｂ１より短くし、第２負荷端子４３、第２接点４６ｂ間の距離ａ２を、第２負荷端子４３、電源側端子４２間の距離ｂ２より短くする。【選択図】図１４
2015195138.tif 000002
【特許請求の範囲】
【請求項１】
固定接点として、電源に接続可能な電源側端子（４２）と、一方の電気負荷に接続可能な第１負荷端子（４１）と、他方の電気負荷に接続可能な第２負荷端子（４３）とを備え、
前記電源側端子（４２）に対して前記第１負荷端子（４１）及び前記第２負荷端子（４３）が導通されないオフ位置と、このオフ位置から一方側に変位させて前記第１負荷端子（４１）と前記電源側端子（４２）とを導通させる第１オン位置と、前記オフ位置から他方側に変位させて前記第２負荷端子（４３）と前記電源側端子（４２）とを導通させる第２オン位置とに移動可能な可動接点（４６）を備えるスイッチにおいて、
前記固定接点として、基準電位となり得るグランド端子（４４）を備え、
前記可動接点（４６）は、前記第１オン位置にある時に前記第１負荷端子（４１）に接続するとともに前記第２オン位置にある時に前記電源側端子（４２）に接続し、且つ前記オフ位置にある時に前記第１負荷端子（４１）及び前記電源側端子（４２）の両方から離間する第１オン接点（４６ａ）と、
前記第２オン位置にある時に前記第２負荷端子（４３）に接続するとともに前記第１オン位置にある時に前記電源側端子（４２）に接続し、且つ前記オフ位置にある時に前記第２負荷端子（４３）及び前記電源側端子（４２）の両方から離間する第２オン接点（４６ｂ）と、
前記オフ位置にある時に前記グランド端子（４４）に接続するとともに前記第１オン位置若しくは前記第２オン位置にある時に前記グランド端子（４４）から離間するグランド接点（４６ｃ）とを備え、
前記第１オン接点（４６ａ）、前記第２オン接点（４６ｂ）及び前記グランド接点（４６ｃ）は互いに導通し、
前記可動接点（４６）が前記オフ位置にある場合は、
前記第１負荷端子（４１）と前記第１オン接点（４６ａ）との距離ａ１を、前記第１負荷端子（４１）と前記電源側端子（４２）との距離ｂ１より短く設定するとともに、
前記第２負荷端子（４３）と前記第２オン接点（４６ｂ）との距離ａ２を、前記第２負荷端子（４３）と前記電源側端子（４２）との距離ｂ２より短く設定することを特徴とするスイッチ。
【請求項２】
前記可動接点（４６）が第１オン位置にある時に、前記第２負荷端子（４３）から前記電源側端子（４２）までの距離ｂ２、若しくは前記第２負荷端子（４３）から前記第２オン接点（４６ｂ）までの距離ｃ１のうち短い方の距離よりも、前記グランド端子（６３）から前記電源側端子（４２）までの距離ｄ、若しくは前記グランド端子（６３）から前記第２オン接点（４６ｂ）までの距離ｅ１のうち短い方の距離が、短く設定され、
前記可動接点（４６）が第２オン位置にある時に、前記第１負荷端子（４１）から前記電源側端子（４２）までの距離ｂ１、若しくは前記第１負荷端子（４１）から第１オン接点（４６ａ）までの距離ｃ２のうち短い方の距離よりも、前記グランド端子（６３）から前記電源側端子（４２）までの距離ｄ、若しくは前記グランド端子（６３）から前記第１オン接点（４６ａ）までの距離ｅ２のうち短い方の距離が、短く設定されることを特徴とする請求項１に記載のスイッチ。
【請求項３】
固定接点として、電源に接続可能な電源側端子（４２）と、一方の電気負荷に接続可能な第１負荷端子（４１）と、他方の電気負荷に接続可能な第２負荷端子（４３）とを備え、
前記電源側端子（４２）に対して前記第１負荷端子（４１）及び前記第２負荷端子（４３）が導通されないオフ位置と、このオフ位置から一方側に変位させて前記第１負荷端子（４１）と前記電源側端子（４２）とを導通させる第１オン位置と、前記オフ位置から他方側に変位させて前記第２負荷端子（４３）と前記電源側端子（４２）とを導通させる第２オン位置とに移動可能な可動接点（７２）を備えるスイッチにおいて、
前記固定接点として、基準電位となり得るグランド端子（４４）を備え、
前記可動接点（７２）は、前記オフ位置にある場合は、前記電源側端子（４２）から離間するするとともに、前記第１負荷端子（４１）及び前記第２負荷端子（４３）のそれぞれと前記グランド端子（４４）とを導通させることを特徴とするスイッチ。
【請求項４】
固定接点として、電源に接続可能な電源側端子（１０５）と、一方の電気負荷に接続可能な第１負荷端子（１０６）と、他方の電気負荷に接続可能な第２負荷端子（１０７）とを備え、
前記電源側端子（１０５）に対して前記第１負荷端子（１０６）及び前記第２負荷端子（１０７）が導通されないオフ位置と、このオフ位置から一方側に変位させて前記第１負荷端子（１０６）と前記電源側端子（１０５）とを導通させる第１オン位置と、前記オフ位置から他方側に変位させて前記第２負荷端子（１０７）と前記電源側端子（１０５）とを導通させる第２オン位置とに移動可能な可動接点（１０３）とを備えるスイッチにおいて、
前記固定接点として、基準電位となり得るグランド端子（１０８，１０９）を備え、
前記可動接点（１０３）は、オフ位置では前記電源側端子（１０５）から離間するとともに前記グランド端子（１０８，１０９）に接続され、
前記グランド端子（１０８，１０９）は、前記電源側端子（１０５）と前記第１負荷端子（１０６）との間、又は前記電源側端子（１０５）と前記第２負荷端子（１０７）との間に位置することを特徴とするスイッチ。
【請求項５】
前記固定接点に対して前記可動接点（４６，７２，１０３）の位置決めを行う可動接点保持機構（５５）を有し、
前記可動接点保持機構（５５）は、
前記オフ位置に対応するオフ位置谷部（２１ｈ）と、前記第１オン位置に対応する第１オン位置谷部（２１ｍ）と、前記第２オン位置に対応する第２オン位置谷部（２１ｎ）と、前記オフ位置谷部（２１ｈ）、前記第１オン位置谷部（２１ｍ）間に形成された第１山部（２１ｊ）と、前記オフ位置谷部（２１ｈ）、前記第２オン位置谷部（２１ｎ）間に形成された第２山部（２１ｋ）とからなる凹凸面（２１ｄ）と、
この凹凸面（２１ｋ）に対して付勢手段（４８）で付勢される押し当て片（４７）とを備え、
前記押し当て片（４７）が、前記第１山部（２１ｊ）の頂点又は前記第２山部（２１ｋ）の頂点に位置する時に、前記可動接点（４６，７２，１０３）は、前記グランド端子（４４）に接続されるとともに、前記第１負荷端子（４１）と前記電源側端子（４２）、及び前記第２負荷端子（４３）と前記電源側端子（４２）をそれぞれ離間させることを特徴とする請求項１乃至４のいずれか一項に記載のスイッチ。
【請求項６】
前記可動接点（４６，７２，１０３）は、ケーシング（４５）内に配置され、前記グランド端子（４４）は、前記可動接点（４６，７２，１０３）の移動範囲内では常に前記ケーシング（４５）に覆われることを特徴とする請求項１乃至５のいずれか一項に記載のスイッチ。
【発明の詳細な説明】
【技術分野】
【０００１】
本発明は、微小電流により作動する電気負荷用のスイッチに関する。
【背景技術】
【０００２】
従来、ＬＥＤ光源等、微小電流によって作動（点灯）する電装品の作動／非作動を切り換えるスイッチの場合、スイッチの電極間に水が介在する等してオフ時であっても微小なリーク電流により作動してしまうことがある。
これに対応するため、スイッチの操作状態を磁石とホール素子によって検知することでリーク電流を排除し、検知結果を用いて制御手段により灯火器の点灯、消灯を制御する手法を用いたもの（特許文献１参照）や、リーク電圧か、ＯＮ電圧かを制御手段により判定し、ＯＮ電圧の場合のみ灯火器を点灯させるもの（特許文献２参照）が知られている。
【先行技術文献】
【特許文献】
【０００３】
【特許文献１】特開２００４−２２０９１９号公報
【特許文献２】特開２０１２−１１９７０号公報
【発明の概要】
【発明が解決しようとする課題】
【０００４】
特許文献１及び特許文献２では、制御手段を必要とするため、基板や半導体素子等の部品点数が増え、高価となりやすい。
本発明の目的は、コストを抑えながら、微小なリーク電流による電気負荷の作動を抑止可能なスイッチを提供することにある。
【課題を解決するための手段】
【０００５】
上述した課題を解決するため、本発明は、固定接点として、電源に接続可能な電源側端子（４２）と、一方の電気負荷に接続可能な第１負荷端子（４１）と、他方の電気負荷に接続可能な第２負荷端子（４３）とを備え、前記電源側端子（４２）に対して前記第１負荷端子（４１）及び前記第２負荷端子（４３）が導通されないオフ位置と、このオフ位置から一方側に変位させて前記第１負荷端子（４１）と前記電源側端子（４２）とを導通させる第１オン位置と、前記オフ位置から他方側に変位させて前記第２負荷端子（４３）と前記電源側端子（４２）とを導通させる第２オン位置とに移動可能な可動接点（４６）を備えるスイッチにおいて、前記固定接点として、基準電位となり得るグランド端子（４４）を備え、前記可動接点（４６）は、前記第１オン位置にある時に前記第１負荷端子（４１）に接続するとともに前記第２オン位置にある時に前記電源側端子（４２）に接続し、且つ前記オフ位置にある時に前記第１負荷端子（４１）及び前記電源側端子（４２）の両方から離間する第１オン接点（４６ａ）と、前記第２オン位置にある時に前記第２負荷端子（４３）に接続するとともに前記第１オン位置にある時に前記電源側端子（４２）に接続し、且つ前記オフ位置にある時に前記第２負荷端子（４３）及び前記電源側端子（４２）の両方から離間する第２オン接点（４６ｂ）と、前記オフ位置にある時に前記グランド端子（４４）に接続するとともに前記第１オン位置若しくは前記第２オン位置にある時に前記グランド端子（４４）から離間するグランド接点（４６ｃ）とを備え、前記第１オン接点（４６ａ）、前記第２オン接点（４６ｂ）及び前記グランド接点（４６ｃ）は互いに導通し、前記可動接点（４６）が前記オフ位置にある場合は、前記第１負荷端子（４１）と前記第１オン接点（４６ａ）との距離ａ１を、前記第１負荷端子（４１）と前記電源側端子（４２）との距離ｂ１より短く設定するとともに、前記第２負荷端子（４３）と前記第２オン接点（４６ｂ）との距離ａ２を、前記第２負荷端子（４３）と前記電源側端子（４２）との距離ｂ２より短く設定することを特徴とする。
【０００６】
上記構成において、前記可動接点（４６）が第１オン位置にある時に、前記第２負荷端子（４３）から前記電源側端子（４２）までの距離ｂ２、若しくは前記第２負荷端子（４３）から前記第２オン接点（４６ｂ）までの距離ｃ１のうち短い方の距離よりも、前記グランド端子（６３）から前記電源側端子（４２）までの距離ｄ、若しくは前記グランド端子（６３）から前記第２オン接点（４６ｂ）までの距離ｅ１のうち短い方の距離が、短く設定され、前記可動接点（４６）が第２オン位置にある時に、前記第１負荷端子（４１）から前記電源側端子（４２）までの距離ｂ１、若しくは前記第１負荷端子（４１）から第１オン接点（４６ａ）までの距離ｃ２のうち短い方の距離よりも、前記グランド端子（６３）から前記電源側端子（４２）までの距離ｄ、若しくは前記グランド端子（６３）から前記第１オン接点（４６ａ）までの距離ｅ２のうち短い方の距離が、短く設定されるようにしても良い。
【０００７】
また、本発明は、固定接点として、電源に接続可能な電源側端子（４２）と、一方の電気負荷に接続可能な第１負荷端子（４１）と、他方の電気負荷に接続可能な第２負荷端子（４３）とを備え、前記電源側端子（４２）に対して前記第１負荷端子（４１）及び前記第２負荷端子（４３）が導通されないオフ位置と、このオフ位置から一方側に変位させて前記第１負荷端子（４１）と前記電源側端子（４２）とを導通させる第１オン位置と、前記オフ位置から他方側に変位させて前記第２負荷端子（４３）と前記電源側端子（４２）とを導通させる第２オン位置とに移動可能な可動接点（７２）を備えるスイッチにおいて、前記固定接点として、基準電位となり得るグランド端子（４４）を備え、前記可動接点（７２）は、前記オフ位置にある場合は、前記電源側端子（４２）から離間するするとともに、前記第１負荷端子（４１）及び前記第２負荷端子（４３）のそれぞれと前記グランド端子（４４）とを導通させることを特徴とする。
【０００８】
また、本発明は、固定接点として、電源に接続可能な電源側端子（１０５）と、一方の電気負荷に接続可能な第１負荷端子（１０６）と、他方の電気負荷に接続可能な第２負荷端子（１０７）とを備え、前記電源側端子（１０５）に対して前記第１負荷端子（１０６）及び前記第２負荷端子（１０７）が導通されないオフ位置と、このオフ位置から一方側に変位させて前記第１負荷端子（１０６）と前記電源側端子（１０５）とを導通させる第１オン位置と、前記オフ位置から他方側に変位させて前記第２負荷端子（１０７）と前記電源側端子（１０５）とを導通させる第２オン位置とに移動可能な可動接点（１０３）とを備えるスイッチにおいて、前記固定接点として、基準電位となり得るグランド端子（１０８，１０９）を備え、前記可動接点（１０３）は、オフ位置では前記電源側端子（１０５）から離間するとともに前記グランド端子（１０８，１０９）に接続され、前記グランド端子（１０８，１０９）は、前記電源側端子（１０５）と前記第１負荷端子（１０６）との間、又は前記電源側端子（１０５）と前記第２負荷端子（１０７）との間に位置することを特徴とする。
【０００９】
上記構成において、前記固定接点に対して前記可動接点（４６，７２，１０３）の位置決めを行う可動接点保持機構（５５）を有し、前記可動接点保持機構（５５）は、前記オフ位置に対応するオフ位置谷部（２１ｈ）と、前記第１オン位置に対応する第１オン位置谷部（２１ｍ）と、前記第２オン位置に対応する第２オン位置谷部（２１ｎ）と、前記オフ位置谷部（２１ｈ）、前記第１オン位置谷部（２１ｍ）間に形成された第１山部（２１ｊ）と、前記オフ位置谷部（２１ｈ）、前記第２オン位置谷部（２１ｎ）間に形成された第２山部（２１ｋ）とからなる凹凸面（２１ｄ）と、この凹凸面（２１ｄ）に対して付勢手段（４８）で付勢される押し当て片（４７）とを備え、前記押し当て片（４７）が、前記第１山部（２１ｊ）の頂点又は前記第２山部（２１ｋ）の頂点に位置する時に、前記可動接点（４６，７２，１０３）は、前記グランド端子（４４）に接続されるとともに、前記第１負荷端子（４１）と前記電源側端子（４２）、及び前記第２負荷端子（４３）と前記電源側端子（４２）をそれぞれ離間させるようにしても良い。
【００１０】
また、上記構成において、前記可動接点（４６，７２，１０３）は、ケーシング（４５）内に配置され、前記グランド端子（４４）は、前記可動接点（４６，７２，１０３）の移動範囲内では常に前記ケーシング（４５）に覆われるようにしても良い。
【発明の効果】
【００１１】
本発明は、固定接点として、基準電位となり得るグランド端子を備え、可動接点は、第１オン位置にある時に第１負荷端子に接続するとともに第２オン位置にある時に電源側端子に接続し、且つオフ位置にある時に第１負荷端子及び電源側端子の両方から離間する第１オン接点と、第２オン位置にある時に第２負荷端子に接続するとともに第１オン位置にある時に電源側端子に接続し、且つオフ位置にある時に第２負荷端子及び電源側端子の両方から離間する第２オン接点と、オフ位置にある時にグランド端子に接続するとともに第１オン位置若しくは第２オン位置にある時にグランド端子から離間するグランド接点とを備え、第１オン接点、第２オン接点及びグランド接点は互いに導通し、可動接点がオフ位置にある場合は、第１負荷端子と第１オン接点との距離ａ１を、第１負荷端子と電源側端子との距離ｂ１より短く設定するとともに、第２負荷端子と第２オン接点との距離ａ２を、第２負荷端子と電源側端子との距離ｂ２より短く設定するので、電源側端子と第１負荷端子とが非接続となるオフ位置において、距離ａ１を距離ｂ１より短く設定するとともに、距離ａ２を距離ｂ２より短く設定することで、電源側端子、第１負荷端子、第２負荷端子、第１オン接点及び第２オン接点及びその周囲に水が付着したとしても、水によって形成されるリーク電流の経路において、第１負荷端子と第１オン接点との間、第２負荷端子と第２オン接点との間の経路で電気抵抗がより小さくなり、電源側端子から第１オン接点、第２オン接点、グランド接点を介してグランド端子へリーク電流が流れやすくなる。この結果、電気負荷へリーク電流が流れにくくなるため、電気負荷の作動を抑止することができる。
上記スイッチでは、固定接点と可動接点との位置関係を工夫することで、制御手段等を必要とせず、基板や半導体素子等の部品点数が増えることなく電気負荷の作動を抑止できるため、スイッチのコストを低減することができる。
【００１２】
また、可動接点が第１オン位置にある時に、第２負荷端子から電源側端子までの距離ｂ２、若しくは第２負荷端子から第２オン接点までの距離ｃ１のうち短い方の距離よりも、グランド端子から電源側端子までの距離ｄ、若しくはグランド端子から第２オン接点までの距離ｅ１のうち短い方の距離が、短く設定され、可動接点が第２オン位置にある時に、第１負荷端子から電源側端子までの距離ｂ１、若しくは第１負荷端子から第１オン接点までの距離ｃ２のうち短い方の距離よりも、グランド端子から電源側端子までの距離ｄ、若しくはグランド端子から第１オン接点までの距離ｅ２のうち短い方の距離が、短く設定されるので、可動接点が第１オン位置にある時に、電源側端子と第２負荷端子との間に第２オン接点が位置しない場合、及び可動接点が第２オン位置にある時に、電源側端子と第１負荷端子との間に第１オン接点が位置しない場合であっても、電源側端子又は第２オン接点に対して第２負荷端子よりグランド端子が近く配置され、又は、電源側端子又は第１オン接点に対して第１負荷端子よりグランド端子が近く配置されることで、電源側端子、第１負荷端子、第２負荷端子、第１オン接点、第２オン接点及びその周囲に水が付着した場合に、水によって形成されるリーク電流の経路において、電源側端子側とグランド端子との間の電気抵抗を、第１負荷端子及び第２負荷端子のうちの第１オン接点又は第２オン接点に接続されていない端子と電源側端子との間の電気抵抗よりも小さくすることができ、電源側端子側、グランド端子間のリーク電流を流れやすくして、作動していない電気負荷の作動を抑止することができる。
【００１３】
また、固定接点として、基準電位となり得るグランド端子を備え、可動接点は、オフ位置にある場合は、電源側端子から離間するするとともに、第１負荷端子及び第２負荷端子のそれぞれとグランド端子とを導通させるので、電源側端子と第１負荷端子とが非接続、電源側端子と第２負荷端子とが非接続となるオフ位置において、電源側端子と第１負荷端子又は第２負荷端子との間に水が付着したとしても、第１負荷端子及び第２負荷端子とグランド端子とが導通しているため、電源側端子から可動接点を介してグランド端子へリーク電流が流れることになり、電気負荷の作動を抑止することができる。
【００１４】
また、固定接点として、基準電位となり得るグランド端子を備え、可動接点は、オフ位置では電源側端子から離間するとともにグランド端子に接続され、グランド端子は、電源側端子と第１負荷端子との間、又は電源側端子と第２負荷端子との間に位置するので、オフ位置において、電源側端子と第１負荷端子との間、電源側端子と第２負荷端子との間に水が付着したとしても、電源側端子からは、第１負荷端子、第２負荷端子よりグランド端子の方が近い位置にあるので、水により形成された経路の電気抵抗が小さくなり、電源側端子からグランド端子にリーク電流が流れやすくなることで、電気負荷の作動を抑止することができる。
【００１５】
また、固定接点に対して可動接点の位置決めを行う可動接点保持機構を有し、可動接点保持機構は、オフ位置に対応するオフ位置谷部と、第１オン位置に対応する第１オン位置谷部と、第２オン位置に対応する第２オン位置谷部と、オフ位置谷部、第１オン位置谷部間に形成された第１山部と、オフ位置谷部、第２オン位置谷部間に形成された第２山部とからなる凹凸面と、この凹凸面に対して付勢手段で付勢される押し当て片とを備え、押し当て片が、第１山部の頂点又は第２山部の頂点に位置する時に、可動接点は、グランド端子に接続されるとともに、第１負荷端子と電源側端子、及び第２負荷端子と電源側端子をそれぞれ離間させるので、押し当て片が第１山部の頂点又は第２山部の頂点に位置する時には、付勢手段の復元力が最大となり、フリクションが大きくなるため、第１オン位置又は第２オン位置からオフ位置に戻す時には、押し当て片が第１山部又は第２山部の頂点で停止することが考えられるが、この場合に、スイッチをオフ状態になるように設定して電気負荷側へ電流を流さないようにすることができる。
また、可動接点は、ケーシング内に配置され、グランド端子は、可動接点の移動範囲内では常にケーシングに覆われるので、ケーシング内に浸入した水をグランド端子に付着しやすくすることができる。従って、リーク電流をグランド端子に流れやすくして、作動していない電気負荷の作動を抑止することができる。
【図面の簡単な説明】
【００１６】
【図１】本発明の第１実施形態のウインカースイッチを備えた車両用スイッチケースを示す正面図である。
【図２】ウインカースイッチを示す平面図である。
【図３】図２のＩＩＩ−ＩＩＩ線断面図である。
【図４】図３のＩＶ−ＩＶ線断面図である。
【図５】図３のＶ−Ｖ線断面図である。
【図６】図３のＶＩ−ＶＩ線断面図である。
【図７】固定接点支持体及び可動接点支持体と、スイッチを含む回路とを示す説明図であり、図７（Ａ）は可動接点支持体を示す正面図、図７（Ｂ）は固定接点支持体を示す正面図、図７（Ｃ）はスイッチを含む回路を示す回路図である。
【図８】ウインカースイッチの作用を示す第１作用図である。
【図９】ウインカースイッチの作用を示す第２作用図である。
【図１０】ウインカースイッチの作用を示す第３作用図である。
【図１１】ウインカースイッチの作用を示す第４作用図である。
【図１２】ウインカースイッチの作用を示す第５作用図である。
【図１３】ウインカースイッチの作用を示す第６作用図である。
【図１４】ウインカースイッチを示す模式図である。
【図１５】第２実施形態のウインカースイッチを示す模式図である。
【図１６】第３実施形態のウインカースイッチを示す模式図である。
【図１７】第４実施形態のウインカースイッチを示す模式図である。
【図１８】第５実施形態のウインカースイッチを示す模式図である。
【発明を実施するための形態】
【００１７】
以下、図面を参照して本発明の一実施の形態について説明する。なお、説明中、前後左右および上下といった方向の記載は、特に記載がなければスイッチが設けられる車両の車体に対する方向と同一とする。また、各図に示す符号ＦＲは前方を示し、符号ＵＰは上方を示し、符号ＬＥは左方を示している。
＜第１実施形態＞
図１は、本発明の第１実施形態のウインカースイッチ１７を備えた車両用スイッチケース１０を示す正面図である。
車両用スイッチケース１０は、自動二輪車のバーハンドル１３の左側に取付けられ、ビーム切換えスイッチ１５、ホーンスイッチ１６及びウインカースイッチ１７が設けられている。これらのビーム切換えスイッチ１５、ホーンスイッチ１６及びウインカースイッチ１７は、バーハンドル１３の左端部に設けられた左グリップ１８を握った手の指で操作される。
ビーム切換えスイッチ１５は、ヘッドライトの走行ビーム（ハイビーム）及びすれ違いビーム（ロービーム）を切り換えるスイッチである。ホーンスイッチ１６は、ホーンを鳴らすスイッチである。ウインカースイッチ１７は、左右のウインカー（ターンシグナルランプ）を選択的に点滅させる、又は消灯させるスイッチである。
【００１８】
図２は、ウインカースイッチ１７を示す平面図である。
ウインカースイッチ１７は、固定接点、可動接点等が収納されたケース２１と、ケース２１内の固定接点に対して可動接点を移動させて左右のウインカーを選択的に点滅させる又は消灯させるウインカーレバー２２とを備える。なお、符号２３はウインカーレバー２２の先端に設けられて指により操作される操作片２３である。
ウインカーレバー２２を左方へ揺動させることで左側のウインカーが点滅し、右方へ揺動させることで右側のウインカーが点滅する。また、ウインカーレバー２２を車体前方へ押すことで左右いずれかの点滅状態にあるウインカーが消灯する。
【００１９】
図３は、図２のＩＩＩ−ＩＩＩ線断面図である。
ウインカースイッチ１７は、ケース２１の開口部に取付けられたレバー支持部材３１と、ウインカーレバー２２と、ケース２１に固定された固定接点支持体３３と、ウインカーレバー２２の先端部に係合されて固定接点支持体３３に対してスライド可能に設けられた可動接点支持体３４とを備える。
ケース２１及びレバー支持部材３１は、それぞれ前後に延びるスリット２１ａ，３１ａが形成されている。
【００２０】
ウインカーレバー２２は、操作片２３と、平板が折り曲げられて形成されたレバー本体２４と、レバー本体２４に一体的に設けられた揺動機構３２とを備える。
揺動機構３２は、レバー本体２４に一体的に取付けられた揺動体３６と、揺動体３６の前端部に形成された中空部３６ａに収納された球体３７と、球体３７を中空部３６ａから先端側に向けて押出す方向に付勢するために球体３７と中空部３６ａの底部３６ｂとの間に配置された圧縮コイルばね３８とから構成されている。
揺動体３６は、中空部３６ａと、中空部３６ａの前端部を紙面の表裏方向で外部に連通させるように形成された一対の切欠き３６ｃ，３６ｂｃ（奥側の切欠き３６ｃのみ図示）と、可動接点支持体３４に係合可能に設けられた係合凸部３６ｄと、ケース２１及びレバー支持部材３１のスリット２１ａ，３１ａに挿入された軸部３６ｅとを備える。球体３７は、圧縮コイルばね３８によってケース２１の内面２１ｂに形成された壁部２１ｅの端面２１ｆに押し当てられている。
【００２１】
ウインカーレバー２２は、軸部３６ｅを中心にして一体的に揺動可能であり、また、スリット２１ａ，３１ａに沿って車体前後方向に一体的に移動可能である。図の状態では、軸部３６ｅは、圧縮コイルばね３８の弾性力によってスリット２１ａ，３１ａのそれぞれの後端に当てられた状態にある。
固定接点支持体３３は、絶縁体からなる支持本体４０と、支持本体４０に取付けられた導体からなる複数の固定接点４１，４２，４３，４４（固定接点４２のみ図示）とから構成されている。可動接点支持体３４は、絶縁体からなる支持本体４５、可動接点４６、球体４７、圧縮コイルばね４８，４９を備える。
支持本体４５は、揺動体３６の係合凸部３６ｄに係合されるように上面４５ｆに形成された被係合部４５ｄと、ケース２１の前壁２１ｐの内面２１ｂに形成された溝部２１ｃに挿入された突起４５ｅとを備える。突起４５ｅは、可動接点支持体３４がスライドする際にケース２１の溝部２１ｃにガイドされる部分であり、突起４５ｅが紙面の表裏方向に所定の長さを有することで、スライド中の回動が防止される。
【００２２】
可動接点４６は、銅等の導体で構成され、支持本体４５の固定接点支持体３３側の側面４５ａに固定接点４１，４２，４３，４４と接触可能に設けられ、且つ圧縮コイルばね４８，４９の弾性力によって固定接点４１，４２，４３，４４に押し当てられている。球体４７は、第１中空部４５ｂ内に配置され、ケース２１の前壁２１ｐの内面２１ｂに形成された凹凸面２１ｄに圧縮コイルばね４８の弾性力によって押し当てられることで可動接点支持体３４の紙面表裏方向の位置決めが行われる。圧縮コイルばね４８は、可動接点４６及び球体４７のそれぞれの間に配置され、圧縮コイルばね４９は、第２中空部４５ｃ内に配置されている。
【００２３】
図４は、図３のＩＶ−ＩＶ線断面図である。
ケース２１の壁部２１ｅは、略Ｖ字形状の端面２１ｆが形成され、端面２１ｆの谷底部２１ｇ側に球体３７が圧縮コイルばね３８によって押し当てられている。揺動体３６には、切欠き３６ｃ，３６ｃが形成されているので、ウインカーレバー２２の揺動体３６が軸部３６ｅを中心にして揺動するときに、切欠き３６ｃ，３６ｃ内にケース２１の壁部２１ｅが入り込むため、揺動体３６を左右に大きな揺動角で揺動させることが可能である。指でウインカーレバー２２を揺動させると、これに伴って、球体３７は端面２１ｆに押し当てられながら圧縮コイルばね３８の弾性力に抗して谷底部２１ｇから離れるように移動する。ウインカーレバー２２から指を離せば、球体３７は端面２１ｆの斜面を移動して谷底部２１ｇに戻る。即ち、ウインカーレバー２２が初期の前後方向に延びる位置に復帰する。
【００２４】
図５は、図３のＶ−Ｖ線断面図である。
可動接点支持体３４の支持本体４５における被係合部４５ｄは、上面４５ｆから上方に突出するように形成された一対の左ウインカー用被係合片４５ｇ及び右ウインカー用被係合片４５ｈからなる。左ウインカー用被係合片４５ｇは、前後方向に延びる前後延出部４５ｊと、前後延出部４５ｊの前端部から支持本体４５の左右幅方向中央且つ前方へ斜めに延びる傾斜延出部４５ｋと、傾斜延出部４５ｋの前端から前方に延びる前方延出部４５ｍとが一体に形成された部分であり、支持本体４５の右側に形成されている。同様に、右ウインカー用被係合片４５ｈは、前後方向に延びる前後延出部４５ｎと、前後延出部４５ｎの前端部から支持本体４５の左右幅方向中央へ斜めに延びる傾斜延出部４５ｐと、傾斜延出部４５ｐの前端から前方に延びる前方延出部４５ｑとが一体に形成された部分であり、支持本体４５の左側に形成されている。左ウインカー用被係合片４５ｇと右ウインカー用被係合片４５ｈとは、左右対称な形状を有している。
【００２５】
図６は、図３のＶＩ−ＶＩ線断面図である。
固定接点支持体３３の固定接点４１，４２，４３は、支持本体４０の左右幅方向に等間隔に配置されている。可動接点支持体３４の可動接点４６は、プレートが断面コ字状に折り曲げられて一対の側壁４６ｄ，４６ｄ及び側壁４６ｄ，４６ｄ間に形成された後壁４６ｅとが一体に形成された部品である。後壁４６ｅは、固定接点４１，４２，４３側に膨出するように形成された第１接点４６ａ及び第２接点４６ｂと、固定接点４４（不図示）側に膨出するように形成された第３接点４６ｃとを備える。
【００２６】
ケース２１の凹凸面２１ｄは、中央に位置する中央谷部２１ｈと、この中央谷部２１ｈの左右に形成された左山部２１ｊ及び右山部２１ｋと、これらの左山部２１ｊ及び右山部２１ｋの更に左右に形成された左谷部２１ｍ及び右谷部２１ｎとで構成されている。
球体４７が中央谷部２１ｈに圧縮コイルばね４８で押し当てられて位置決めされているときには、可動接点４６の第１接点４６ａは、固定接点４１，４２間に位置し、第２接点４６ｂは、固定接点４２，４３間に位置し、第３接点４６ｃは、固定接点４４（不図示）に接触している。この状態が、ウインカースイッチ１７のオフ状態である。即ち、左右のウインカーのいずれも非作動（消灯）状態にある。
上記したケース２１の凹凸面２１ｄ、支持本体４５の第１中空部４５ｂ、球体４７、圧縮コイルばね４８は、可動接点支持体３４（詳しくは可動接点４６）の位置を保持する可動接点保持機構５５を構成している。
【００２７】
図７は、固定接点支持体３３及び可動接点支持体３４と、ウインカースイッチ１７を含む回路とを示す説明図であり、図７（Ａ）は可動接点支持体３４を示す正面図、図７（Ｂ）は固定接点支持体３３を示す正面図、図７（Ｃ）はウインカースイッチ１７を含む回路を示す回路図である。
図７（Ａ）に示すように、可動接点４６の後壁４６ｅは、その輪郭が矩形に形成され、それぞれ円形で同一外径の第１接点４６ａ及び第２接点４６ｂは、可動接点４６の上部に水平に左右に並べられて配置されている。第１接点４６ａ、第２接点４６ｂ間の中央の下方には、第１接点４６ａ、第２接点４６ｂと同形状の第３接点４６ｃが配置されている。即ち、第１接点４６ａ、第２接点４６ｂ及び第３接点４６ｃは、二等辺三角形の各頂点に配置されている。
【００２８】
図７（Ｂ）に示すように、固定接点支持体３３の支持本体４０は、輪郭が略矩形に形成され、円形で同一外径の固定接点４１，４２，４３は、背面視円形とされて水平に左右に並べて配置されている。固定接点４４は、背面視で固定接点４１，４２，４３より小径の円形とされて固定接点４２の下方に配置されている。固定接点４２に対して固定接点４１，４３は左右に等距離に配置されている。
【００２９】
図７（Ｃ）では、固定接点支持体３３を実線、可動接点４６を破線で表している。
固定接点支持体３３の固定接点４１には右ウインカーの光源であるＬＥＤ５１のアノード、固定接点４２にはウインカーリレー５２の一端、固定接点４３には左ウインカーの光源であるＬＥＤ５３のアノードがそれぞれ接続されている。ＬＥＤ５１のカソード、ＬＥＤ５３のカソード及び固定接点４４は接地されている。
ウインカーリレー５２は、ＬＥＤ５１，５３を点滅させるための部品であり、他端に正電圧が加えられている。
【００３０】
図に示すウインカースイッチ１７のオフ状態では、可動接点４６の第１接点４６ａは、固定接点４１，４２間であって固定接点４１寄りに配置され、第２接点４６ｂは、固定接点４２，４３間であって固定接点４３寄りに配置されている。第３接点４６ｃは、固定接点４４上に位置し、固定接点４４と接続されている。
【００３１】
以上に述べたウインカースイッチ１７の作用を次に説明する。
図８は、ウインカースイッチ１７の作用を示す第１作用図であり、右側のウインカーを作動させる作用を示す。
例えば、右側のウインカーを作動させる場合は、矢印Ａで示すように、操作片２３を指で右側へ押してウインカーレバー２２を軸部３６ｅを中心にして反時計回りに揺動させる。この結果、矢印Ｂで示すように、揺動体３６の係合凸部３６ｄが左側へ移動し、右ウインカー用被係合片４５ｈの前後延出部４５ｎを左側へ押し付ける。これにより、可動接点支持体３４は、矢印Ｃで示すように左側へ移動する。
【００３２】
図９は、ウインカースイッチ１７の作用を示す第２作用図であり、可動接点支持体３４が図６に示した初期位置（オフ位置）から左側に移動した状態を示している。図１０は、ウインカースイッチ１７の作用を示す第３作用図であり、ウインカーレバー２２が元の位置に戻った状態を示している。
図９に示すように、球体４７は、圧縮コイルばね４８の弾性力に抗して中央谷部２１ｈから左山部２１ｊを越え、左谷部２１ｍに位置した状態にあり、この状態で可動接点支持体３４が位置決めされている。この状態では、可動接点４６の第１接点４６ａは固定接点４１に接続され、可動接点４６の第２接点４６ｂは固定接点４２に接続される。即ち、ウインカースイッチ１７がオンになる。この結果、固定接点４１，４２間が可動接点４６を介して導通し、図７（Ｃ）において、ウインカーリレー５２側から右側のＬＥＤ５１に断続的に電流が流れ、ＬＥＤ５１が点滅する。
図１０において、操作片２３から指を離せば、ウインカーレバー２２は時計回りに揺動し、矢印Ｄで示すように、係合凸部３６ｄは初期の位置に戻る。
【００３３】
図１１は、ウインカースイッチ１７の作用を示す第４作用図であり、可動接点支持体３４を図６に示した初期位置に戻す動作を示している。
ウインカーレバー２２の操作片２３を、矢印Ｅで示すように、指で前方に押すと、ウインカーレバー２２の係合凸部３６ｄが、矢印で示すように、左ウインカー用被係合片４５ｇの傾斜延出部４５ｋを前方に押し付ける。この結果、可動接点支持体３４には押し付け力の右方向への分力が発生し、可動接点支持体３４は、矢印Ｆで示すように、右側へ移動する。この結果、可動接点支持体３４は、図６に示した初期位置へ戻るため、可動接点４６の第１接点４６ａ，第２接点４６ｂは、固定接点４１，４２から離れる。即ち、ウインカースイッチ１７がオフになる。
【００３４】
図１２は、ウインカースイッチ１７の作用を示す第５作用図であり、左側のウインカーを作動させる作用を示す。
例えば、左側のウインカーを作動させる場合は、矢印Ｇで示すように、操作片２３を指で左側へ押してウインカーレバー２２を軸部３６ｅを中心にして時計回りに揺動させる。この結果、矢印Ｈで示すように、揺動体３６の係合凸部３６ｄが右側へ移動し、左ウインカー用被係合片４５ｇの前後延出部４５ｊを押し付ける。これにより、可動接点支持体３４は、矢印Ｊで示すように右側へ移動する。
【００３５】
図１３は、ウインカースイッチ１７の作用を示す第６作用図であり、可動接点支持体３４が図６に示した初期位置から右側に移動した状態を示している。
球体４７は、圧縮コイルばね４８の弾性力に抗して中央谷部２１ｈから右山部２１ｋを越え、右谷部２１ｎに位置した状態にあり、この状態で可動接点支持体３４が位置決めされている。この状態では、可動接点４６の第１接点４６ａは固定接点４２に接続され、可動接点４６の第２接点４６ｂは固定接点４３に接続される。即ち、ウインカースイッチ１７がオンになる。この結果、固定接点４２，４３間が可動接点４６を介して導通し、図７（Ｃ）において、ウインカーリレー５２側から左側のＬＥＤ５３に断続的に電流が流れ、ＬＥＤ５３が点滅する。
図１２において、操作片２３から指を離せば、ウインカーレバー２２は反時計回りに揺動し、係合凸部３６ｄは初期の位置に戻る。
【００３６】
上記した固定接点４１〜４４に対する可動接点４６の移動を次に詳細に説明する。
図１４は、ウインカースイッチ１７を示す模式図である。ここで、便宜上、固定接点支持体３３の固定接点４１を第１負荷端子４１、固定接点４２を電源側端子４２、固定接点４３を第２負荷端子４３、固定接点４４をグランド端子４４、可動接点４６の第３接点４６ｃをグランド接点４６ｃと言い換える。
（１）において、ウインカースイッチ１７は、オフ（ＯＦＦ）の状態にあり、可動接点４６は初期位置に有る。即ち、第１接点４６ａは、第１負荷端子４１と電源側端子４２との間に位置し、第２接点４６ｂは、電源側端子４２、第２負荷端子４３間に位置し、グランド接点４６ｃは、グランド端子４４に接続されている。このように、第１接点４６ａ及び第２接点４６ｂは、第１負荷端子４１、電源側端子４２及び第２負荷端子４３のいずれにも接続されていない。
【００３７】
例えば、第１負荷端子４１と第１接点４６ａとの距離をａ１、第２負荷端子４３と第２接点４６ｂとの距離をａ２、電源側端子４２と第１接点４６ａとの距離をｈ１、電源側端子４２と第２接点４６ｂとの距離をｈ２、電源側端子４２と第１負荷端子４１との距離をｂ１、電源側端子４２と第２負荷端子４３との距離をｂ２とすると、ａ１＜ｂ１、ｈ１＜ｂ１、ａ２＜ｂ２、ｈ２＜ｂ２の関係がある。
ａ１＜ｂ１、ａ２＜ｂ２であれば、例えば、固定接点支持体３３の表面（第１負荷端子４１、電源側端子４２、第２負荷端子４３、第１接点４６ａ及び第２接点４６ｂ及びその周囲を含む範囲の表面）に水が付着した際に、第１負荷端子４１と第１接点４６ａとの間、及び第２負荷端子４３と第２接点４６ｂとの間で水によって形成された電流経路の電気抵抗が、電源側端子４２と第１負荷端子４１との間、及び電源側端子４２と第２負荷端子４３との間で水によって形成された電流経路の電気抵抗より小さくなる。
従って、第１接点４６ａ及び第２接点４６ｂは、水を介して第１負荷端子４１及び第２負荷端子４３と導通しやすくなり、グランド接点４６ｃに接続されたグランド端子４４にリーク電流が流れやすくなる。即ち、電源側端子４２から第１負荷端子４１及び第２負荷端子にリーク電流が流れにくくなり、ＬＥＤ５１，５３の点灯が抑止される。
【００３８】
また、ｈ１＜ｂ１、ｈ２＜ｂ２であれば、電源側端子４２と第１接点４６ａとの間、電源側端子４２と第２接点４６ｂとの間で水によって形成された電流経路の電気抵抗が、電源側端子４２と第１負荷端子４１との間、及び電源側端子４２と第２負荷端子４３との間で水によって形成された電流経路の電気抵抗より小さくなる。
従って、電源側端子４２から可動接点４６を介してグランド端子４４にリーク電流が流れやすくなる。即ち、電源側端子４２から第１負荷端子４１及び第２負荷端子にリーク電流が流れにくくなり、ＬＥＤ５１，５３の点灯が抑止される。
【００３９】
（２）において、例えば、（１）の状態から可動接点４６が右側へ移動し、第２接点４６ｂが第２負荷端子４３に接続し始めたときには、第１接点４６ａは第１負荷端子４１から既に離れており、グランド接点４６ｃは、グランド端子４４に接続したままの状態にある。
（３）において、グランド接点４６ｃがグランド端子４４から離れ始めた時には、第２接点４６ｂは既に第２負荷端子４３に接続し、第１接点４６ａは、まだ電源側端子４２に接続していない。この時点での（１）からの可動接点４６の移動距離をｊとする。
【００４０】
（４）において、第１接点４６ａが電源側端子４２に接続し始めたときには、第２接点４６ｂは既に第２負荷端子４３に接続し、グランド接点４６ｃは、既にグランド端子４４から離れている。即ち、電源側端子４２と第２負荷端子４３とが可動接点４６を介して接続し、オン状態となる。この時点での（１）からの可動接点４６の移動距離をｋとすると、ｋ＞ｊとなる。即ち、第１接点４６ａが電源側端子４２に接続する前に、グランド接点４６ｃがグランド端子４４から離れるので、電源側端子４２とグランド端子４４とが可動接点４６を介して接続されることがなく、電源側端子４２とグランド端子４４との短絡を防止することができる。
【００４１】
（５）において、球体４７が右谷部２１ｎ内に位置し、第１接点４６ａと電源側端子４２、第２接点４６ｂと第２負荷端子４３が完全に接続されたオン（ＯＮ）の状態となる。
ここで、第１負荷端子４１と電源側端子４２とが可動接点４６によって導通したときの可動接点４６の位置を第１オン位置とし、第２負荷端子４３と電源側端子４２とが可動接点４６によって導通したときの可動接点４６の位置を第２オン位置とすると、この（５）は、可動接点４６が第２オン位置に移動した状態を示している。
第１負荷端子４１から電源側端子４２までの距離をｂ１（（１）参照）、第１負荷端子４１から第１接点４６ａまでの距離をｃ２、グランド端子４４から電源側端子４２までの距離をｄ、グランド端子４４から第１接点４６ａまでの距離をｅ２としたときに、距離ｂ１及び距離ｃ２のうち短い方の距離（ここではｂ１＞ｃ２であるから、距離ｃ２）よりも、距離ｄ及び距離ｅ２のうち短い方の距離（ここではｄ＜ｅ２であるから、距離ｄ）が、短く設定される。
【００４２】
また、可動接点４６が第１オン位置に移動した状態のときには、第２負荷端子４３から電源側端子４２までの距離をｂ２（（１）参照）、第２負荷端子４３から第２接点４６ｂまでの距離をｃ１、グランド端子４４から電源側端子４２までの距離をｄ、グランド端子４４から第２接点４６ｂまでの距離をｅ１としたときに、距離ｂ２及び距離ｃ１のうち短い方の距離（ここではｂ２＞ｃ１であるから、距離ｃ１）よりも、距離ｄ及び距離ｅ１のうち短い方の距離（ここではｄ＜ｅ１であるから、距離ｄ）が、短く設定される。
【００４３】
このように設定することで、可動接点４６が右ウインカーのオン位置にある時に、電源側端子４２と第２負荷端子４３との間に第２接点４６ｂが位置しない場合、及び可動接点４６が左ウインカーのオン位置にある時に、電源側端子４２と第１負荷端子４１との間に第１接点４６ａが位置しない場合であっても、互いに接続された電源側端子４２と第２接点４６ｂに対して第２負荷端子４３よりもグランド端子４４が近く配置され、又は、互いに接続された電源側端子４２と第１接点４６ａに対して第１負荷端子４１よりグランド端子４４が近く配置される。
【００４４】
このため、電源側端子４２、第１負荷端子４１、第２負荷端子４３、第１接点４６ａ、第２接点４６ｂ及びその周囲に水が付着した場合に、水によって形成されるリーク電流の経路において、電源側端子４２側（電源側端子４２と、電源側端子４２に接続された第１接点４６ａ又は第２接点４６ｂ）とグランド端子４４との間の電気抵抗を、第１負荷端子４１及び第２負荷端子４３のうちの第１接点４６ａ又は第２接点４６ｂに接続されていない端子と電源側端子４２側との間の電気抵抗よりも小さくすることができ、電源側端子４２側、グランド端子４４間のリーク電流を流れやすくして、作動していない電気負荷の作動を抑止することができる。
【００４５】
上記（１）〜（５）に至る間で、球体４７が、中央谷部２１ｈ側から右谷部２１ｎ側へ右山部２１Ｋを越えるタイミングがあり、この時に球体４７が以下の理由により右山部２１Ｋで止まることがある。
ウインカースイッチ１７では、オフからオンへの切り換えは、可動接点４６の移動方向へウインカーレバー２２（図２参照）で直接その方向に押すのに対して、オンからオフへの切り換えは、ウインカーレバー２２を前方へ押し込む力を可動接点４６側の傾斜面により可動接点４６の移動方向へ変換するため、フリクションが発生しやすく、可動接点４６を移動させる力が弱くなりやすい。
【００４６】
また、傾斜面を利用せず、可動接点４６をオフからオンに直接動かすようなものであっても、オンからオフに切り換える際に、他方のオン側に行き過ぎないように手加減して操作する傾向にあるため、可動接点４６が移動する力が弱くなりやすい。
従って、左山部２１ｊ又は右山部２１ｋの頂上付近で球体４７が止まる事象は、オンからオフに切り換えるときに起こりやすく、その際はウインカースイッチ１７がオフになるようにするとともに、リーク電流により電気負荷が作動しないようにグランド接点４６ｃをグランド端子４４に接続する設定としたほうが都合が良い。従って、ｍ＜ｊとすることが望ましい。
【００４７】
＜第２実施形態＞
図１５は、第２実施形態のウインカースイッチ６１を示す模式図である。図１４に示した第１実施形態と同一構成については同一符号を付け、詳細説明は省略する。
（１）はウインカースイッチ６１のオフ状態、（５）はウインカースイッチ６１のオン状態（可動接点４６が第２オン位置に移動した状態）を示している。
（１）及び（５）において、ウインカースイッチ６１は、ウインカースイッチ１７（図１４参照）における固定接点支持体３３（図１４参照）のグランド端子４４に対し、固定端子支持体６２に備えるグランド端子６３の形状が異なる。固定端子支持体６２は、各端子も含めて左右対称に形成されている。
【００４８】
グランド端子６３は、第１負荷端子４１、電源側端子４２及び第２負荷端子４３の下方に配置され、横向き略Ｅ形状に形成されている。グランド端子６３は、詳しくは、電源側端子４２の下方に配置された上下に延びる中端子部６３ａと、中端子部６３ａから両側方に延びる横端子部６３ｂ，６３ｃと、横端子部６３ｂ，６３ｃの各端部からそれぞれ第１負荷端子４１、第２負荷端子４３に向けて延びる左端子部６３ｄ及び右端子部６３ｅとから一体に構成されている。
【００４９】
（１）において、電源側端子４２と中端子部６３ａとの距離をｄ、電源側端子４２と第１負荷端子４１との距離をｂ１、電源側端子４２と第２負荷端子４３との距離をｂ２、第１負荷端子４１と左端子部６３ｄとの距離をｎ１、第２負荷端子４３と右端子部６３ｅとの距離をｎ２とすると、ｄ＜ｂ１、ｎ１＜ｂ１、ｄ＜ｂ２、ｎ２＜ｂ２、ｄ＞ｎ１、ｄ＞ｎ２となる。
このように、グランド端子６３を、電源側端子４２よりも第１負荷端子４１及び第２負荷端子４３に近づけることで、固定端子支持体６２の表面に水が付着した際に、電源側端子４２と第１負荷端子４１との間、及び電源側端子４２と第２負荷端子４３との間に比べて、第１負荷端子４１とグランド端子６３の左端子部６３ｄ、及び第２負荷端子４３とグランド端子６３の右端子部６３ｅとの間の水によって形成された経路の電気抵抗を小さくすることができ、リーク電流を流れやすくすることができる。従って、電源側端子４２と第１負荷端子４１、第２負荷端子４３との間にリーク電流が流れにくくなり、左右のウインカーの作動を抑止することができる。
（２）〜（５）の作用（上記したグランド端子６３の作用を除く。）については、第１オン位置の作用も含め、図１４で説明したウインカースイッチ１７の作用と基本的に同様であり、説明は省略する。
【００５０】
＜第３実施形態＞
図１６は、第３実施形態のウインカースイッチ７１を示す模式図である。図１４に示した第１実施形態と同一構成については同一符号を付け、詳細説明は省略する。
ウインカースイッチ７１は、ウインカースイッチ１７（図１４参照）の可動接点４６（図１４参照）に対して可動接点７２の形状が異なる。可動接点７２は、横長で長円形状の第１接点７２ａ及び第２接点７２ｂと、グランド接点４６ｃとを備える。
（１）はウインカースイッチ７１のオフ状態を示しており、第１接点７２ａは、その左端部が第１負荷端子４１に接続され、第２接点７２ｂは、その右端部が第２負荷端子４３に接続されている。また、グランド接点４６ｃはグランド端子４４に接続されている。
【００５１】
（２）において、例えば、（１）の状態から可動接点７２が右側へ移動し、第１接点７２ａが第１負荷端子４１から離れ始めたときには、第２接点７２ｂは第２負荷端子４３に既に接続されており、グランド接点４６ｃは、まだグランド端子４４に接続された状態にある。
（３）において、グランド接点４６ｃがグランド端子４４から離れ始めたときには、第１接点７２ａは第１負荷端子４１から既に離れており、第２接点７２ｂは第２負荷端子４３に既に接続されている。
【００５２】
（４）において、第１接点７２ａが電源側端子４２に接続し始めたときには、第２接点７２ｂは第２負荷端子４３に既に接続されており、グランド接点４６ｃは、既にグランド端子４４から離れている。即ち、電源側端子４２と第２負荷端子４３とが可動接点７２を介して接続し、オン状態となる。
（５）において、球体４７が右谷部２１ｎ内に位置し、第１接点７２ａと電源側端子４２、第２接点７２ｂと第２負荷端子４３が、完全に接続されたオン状態（可動接点７２が第２オン位置に移動した状態）となる。
上記（１）〜（５）に至る間で、球体４７が、中央谷部２１ｈ側から右谷部２１ｎ側へ右山部２１Ｋを越えるタイミングがあり、このタイミングに球体４７が右山部２１Ｋで止まることがある。この時は、ウインカースイッチ７１をオフにするとともに、リーク電流により電気負荷が作動しないようにグランド接点４６ｃをグランド端子４４に接続する設定としている。従って、ｍ＜ｊとすることが望ましい。球体４７が左山部２１ｊ（図６参照）で止まる時も同様である。
可動接点７２がオフ位置から第１オン接点に至るまでの作用も、上記した作用と可動接点７２の移動する方向が異なるだけで基本的な作用は同様である。
【００５３】
＜第４実施形態＞
図１７は、第４実施形態のウインカースイッチ８１を示す模式図である。
（１）において、ウインカースイッチ８１は、固定接点支持体８２と、固定接点支持体８２に対して移動可能に設けられた可動接点８３とを備える。
固定接点支持体８２は、上下方向のほぼ中央で左右に配置された一対の円形の電源側端子８４，８５と、左側の電源側端子８４の下方に配置された横長長円形の第１負荷端子８６と、左側の電源側端子８４の上方に配置された円形のグランド端子８７と、右側の電源側端子８５の上方に配置された横長長円形の第２負荷端子８８と、右側の電源側端子８５の下方に配置された円形のグランド端子８９とを備える。
【００５４】
グランド端子８７は、横長長円形の長円部８７ａと、長円部８７ａから第１負荷端子８６に向けて電源側端子８４の側方まで一体に延びる突起部８７ｂとから構成されている。同様に、グランド端子８９は、横長長円形の長円部８９ａと、長円部８９ａから第２負荷端子８８に向けて電源側端子８５の側方まで一体に延びる突起部８９ｂとから構成されている。これにより、グランド端子８７の突起部８７ｂは、電源側端子８４と第２負荷端子８８との間に位置し、グランド端子８９の突起部８９ｂは、電源側端子８５と第１負荷端子８６との間に位置する。
【００５５】
可動接点８３は、第１可動接点９１及び第２可動接点９２からなり、第１可動接点９１と第２可動接点９２とは分離されているとともに同一の可動接点支持体（不図示）に設けられている。即ち、第１可動接点９１と第２可動接点９２とは導通しておらず、また、一体的に移動可能である。
第１可動接点９１は、第１可動接点９１ａと、第１可動接点９１ａの上方且つ電源側端子８４の右方に配置された第２接点９１ｂと、第１可動接点９１ａの右方に配置されたグランド接点９１ｃとを備える。第１可動接点９１ａ、第２接点９１ｂ及びグランド接点９１ｃは、それぞれ円形で同一外径に形成されている。
第２可動接点９２は、第１接点９２ａと、第１接点９２ａの下方且つ電源側端子８５の左方に配置された第２接点９２ｂと、第１接点９２ａの左方に配置されたグランド接点９２ｃとを備える。
【００５６】
ウインカースイッチ８１がオフ状態では、第１可動接点９１においては、第１可動接点９１は第１負荷端子８６に接続され、第２接点９１ｂはグランド端子８７に接続され、グランド接点９１ｃはグランド端子８９に接続されている。第２可動接点９２においては、第１接点９２ａは第２負荷端子８８に接続され、第２接点９２ｂはグランド端子８９に接続され、グランド接点９２ｃはグランド端子８７に接続されている。
【００５７】
このように、第１負荷端子８６は、第１可動接点９１を介してグランド端子８７，８９に接続され、第２負荷端子８８は、第２可動接点９２を介してグランド端子８７，８９に接続されているため、固定接点支持体８２の表面に水が付着したとしても、第１負荷端子８６及び第２負荷端子８８にリーク電流が流れにくくなり、ウインカー用のＬＥＤの点灯を抑止することができる。
【００５８】
（２）において、例えば、図１の状態から第１可動接点９１及び第２可動接点９２が一体となって右側へ移動し、第２可動接点９２では、グランド接点９２ｃがグランド端子８７から離れ始めたときには、第１接点９２ａが第２負荷端子８８に既に接続されており、第２接点９２ｂは他と接続されていない状態にある。また、第１可動接点９１では、固定接点側との接続・非接続の状態は変わっていない。
（３）において、第２可動接点９２の第２接点９２ｂが電源側端子８５に接続し始めることで、ウインカースイッチ８１はオンになる。第１接点９２ａは第２負荷端子８８に既に接続したままであり、グランド接点９２ｃはグランド端子８７から離れた状態から第２負荷端子８８に接続される。
【００５９】
（４）において、球体４７が右谷部２１ｎ内に位置することで可動接点８３が位置決めされ、第２可動接点９２の第２接点９２ｂと電源側端子８５とが、完全に接続されたオン状態（可動接点８３が第２オン位置に移動した状態）となる。
第２負荷端子８８は長円形に形成されているので、第２負荷端子８８に第１接点９２ａ及びグランド接点９２ｃの両方を接続することができ、第２負荷端子８８と第２可動接点９２との接触面積を増やすことができるため、接点抵抗を低減することができる。長円形の第１負荷端子８６についても同様である。
【００６０】
上記（１）〜（４）に至る間で、球体４７が中央谷部２１ｈから右山部２１Ｋを越えて右谷部２１ｎまで移動する途中に相当する。このとき、球体４７が前述の理由により右山部２１ｋで止まることがある。この時は、ウインカースイッチ８１をオフにするとともに、リーク電流により電気負荷が作動しないようにグランド接点９１ｃをグランド端子８９に接続し、グランド接点９２ｃをグランド端子８７に接続する設定としている。従って、ｍ＜ｊとすることが望ましい。球体４７が左山部２１ｊ（図６参照）で止まる時も同様である。
可動接点８３がオフ位置から第１オン接点に至るまでの作用も、上記した作用と可動接点８３の移動する方向が異なるだけで基本的な作用は同様である。
【００６１】
＜第５実施形態＞
図１８は、第５実施形態のウインカースイッチ１０１を示す模式図である。
（１）において、ウインカースイッチ１０１は、固定接点支持体１０２と、固定接点支持体１０２に対して移動可能に設けられた導体からなる可動接点１０３とを備える。
固定接点支持体１０２は、絶縁体からなる横長の支持本体１０４と、この支持本体１０４に設けられた電源側端子１０５、第１負荷端子１０６、第２負荷端子１０７、グランド端子１０８，１０９とを備える。電源側端子１０５は、円形であり、支持本体１０４の長手方向中央に配置されている。第１負荷端子１０６及び第２負荷端子１０７は、横長の長円形であり、支持本体１０４における電源側端子１０５の左方及び右方に離間して配置されている。グランド端子１０８は、円形で電源側端子１０５と第１負荷端子１０６との間で且つ第１負荷端子１０６寄りに配置されている。グランド端子１０９は、円形で電源側端子１０５と第２負荷端子１０７との間で且つ第２負荷端子１０７寄りに配置されている。
可動接点１０３は、円形で凸状に形成された互いに導通する第１接点１０３ａ、第２接点１０３ｂ、第３接点１０３ｃ及び第４接点１０３ｄを備える。
【００６２】
ウインカースイッチ１０１がオフ（ＯＦＦ）状態では、第１接点１０３ａが第１負荷端子１０６、第２接点１０３ｂがグランド端子１０８、第３接点１０３ｃがグランド端子１０９、第４接点１０３ｄが第２負荷端子１０７にそれぞれ接続されている。詳しくは、第１接点１０３ａは、第１負荷端子１０６の右端部に接続され、第４接点１０３ｄは、第２負荷端子１０７の左端部に接続されている。
このように、第１負荷端子１０６及び第２負荷端子１０７が、可動接点１０３を介してグランド端子１０８，１０９に接続されているので、固定接点支持体１０２の表面に水が付着したとしても、第１負荷端子１０６及び第２負荷端子１０７にリーク電流が流れにくくなり、ウインカー用のＬＥＤの点灯を抑止することができる。
【００６３】
（２）において、例えば、（１）の状態から可動接点１０３が右側へ移動し、第１接点１０３ａがグランド端子１０８から離れ始めたときには、第２接点１０３ｂは、固定接点支持体１０２のいずれの端子にも接続せず、第３接点１０３ｃ及び第４接点１０３ｄは第２負荷端子１０７に接続した状態にある。
（３）において、第２接点１０３ｂが電源側端子１０５に接続し始めることで、電源側端子１０５と第２負荷端子１０７とが可動接点１０３を介して接続し、ウインカースイッチ１０１はオンになる。この時、第１接点１０３ａは、固定接点支持体１０２のいずれの端子にも接続せず、第３接点１０３ｃ及び第４接点１０３ｄは引き続き第２負荷端子１０７に接続した状態にある。
【００６４】
（４）において、球体４７が右谷部２１ｎ内に位置し、第２接点１０３ｂと電源側端子１０５とが、完全に接続されたオン（ＯＮ）状態（可動接点１０３が第２オン位置に移動した状態）となる。
第２負荷端子１０７は長円形に形成されているので、第２負荷端子１０７に第３接点１０３ｃ及び第４接点１０３ｄの両方を接続することができ、第２負荷端子１０７と可動接点１０３との接触面積を増やすことができるため、接点抵抗を低減することができる。
【００６５】
上記（１）〜（４）に至る間で、球体４７が中央谷部２１ｈから右山部２１Ｋを越えて右谷部２１ｎまで移動する途中に相当する。このとき、球体４７が前述の理由により右山部２１ｋで止まることがある。この時は、ウインカースイッチ１０１をオフにするとともに、リーク電流により電気負荷が作動しないようにグランド接点としての第１接点１０３ａをグランド端子１０８に接続する設定としている。従って、ｍ＜ｊとすることが望ましい。球体４７が左山部２１ｊ（図６参照）で止まる時も同様である。
可動接点１０３がオフ位置から第１オン接点に至るまでの作用も、上記した作用と可動接点１０３の移動する方向が異なるだけで基本的な作用は同様である。
【００６６】
以上の図１４に示したように、固定接点として、電源に接続可能な電源側端子４２と、一方の電気負荷に接続可能な第１負荷端子４１と、他方の電気負荷に接続可能な第２負荷端子４３とを備え、電源側端子４２に対して第１負荷端子４１及び第２負荷端子４３が導通されないオフ位置と、このオフ位置から一方側に変位させて第１負荷端子４１と電源側端子４２とを導通させる第１オン位置と、オフ位置から他方側に変位させて第２負荷端子４３と電源側端子４２とを導通させる第２オン位置とに移動可能な可動接点４６を備えるスイッチとしてのウインカースイッチ１７において、固定接点として、基準電位となり得るグランド端子４４を備え、可動接点４６は、第１オン位置にある時に第１負荷端子４１に接続するとともに第２オン位置にある時に電源側端子４２に接続し、且つオフ位置にある時に第１負荷端子４１及び電源側端子４２の両方から離間する第１接点４６ａと、第２オン位置にある時に第２負荷端子４３に接続するとともに第１オン位置にある時に電源側端子４２に接続し、且つオフ位置にある時に第２負荷端子４３及び電源側端子４２の両方から離間する第２接点４６ｂと、オフ位置にある時にグランド端子４４に接続するとともに第１オン位置若しくは第２オン位置にある時にグランド端子４４から離間するグランド接点４６ｃとを備え、第１接点４６ａ、第２接点４６ｂ及びグランド接点４６ｃは互いに導通し、可動接点４６がオフ位置にある場合は、第１負荷端子４１と第１接点４６ａとの距離をａ１を、第１負荷端子４１と電源側端子４２との距離ｂ１より短く設定するとともに、第２負荷端子４３と第２接点４６ｂとの距離ａ２を、第２負荷端子４３と電源側端子４２との距離ｂ２より短く設定する。
【００６７】
この構成によれば、電源側端子４２と第１負荷端子４１とが非接続となるオフ位置において、距離ａ１を距離ｂ１より短く設定するとともに、距離ａ２を距離ｂ２より短く設定することで、電源側端子４２、第１負荷端子４１、第２負荷端子４３、第１接点４６ａ及び第２接点４６ｂ及びその周囲に水が付着したとしても、水によって形成されるリーク電流の経路において、第１負荷端子４１と第１接点４６ａとの間、第２負荷端子４３と第２接点４６ｂとの間の経路で電気抵抗がより小さくなり、電源側端子４２から第１接点４６ａ、第２接点４６ｂ、グランド接点４６ｃを介してグランド端子４４へリーク電流が流れやすくなる。この結果、電気負荷であるＬＥＤ５１，５３（図７（Ｃ）参照）へリーク電流が流れにくくなるため、ＬＥＤ５１，５３の作動（点灯、点滅）を抑止することができる。
上記ウインカースイッチ１７では、固定接点支持体３３の各端子と可動接点４６の各接点との位置関係を工夫することで、制御手段等を必要とせず、基板や半導体素子等の部品点数が増えることなくＬＥＤ５１，５３の作動を抑止できるため、ウインカースイッチ１７のコストを低減することができる。
【００６８】
また、図１５に示したように、可動接点４６が第１オン位置にある時に、第２負荷端子４３から電源側端子４２までの距離ｂ２、若しくは第２負荷端子４３から第２接点４６ｂまでの距離ｃ１のうち短い方の距離よりも、グランド端子６３から電源側端子４２までの距離ｄ、若しくはグランド端子６３から第２接点４６ｂまでの距離ｅ１のうち短い方の距離が、短く設定され、可動接点４６が第２オン位置にある時に、第１負荷端子４１から電源側端子４２までの距離ｂ１、若しくは第１負荷端子４１から第１接点４６ａまでの距離ｃ２のうち短い方の距離よりも、グランド端子６３から電源側端子４２までの距離ｄ、若しくはグランド端子６３から第１接点４６ａまでの距離ｅ２のうち短い方の距離が、短く設定されるので、可動接点４６が第１オン位置にある時に、電源側端子４２と第２負荷端子４３との間に第２接点４６ｂが位置しない場合、及び可動接点４６が第２オン位置にある時に、電源側端子４２と第１負荷端子４１との間に第１接点４６ａが位置しない場合であっても、電源側端子４２又は第２接点４６ｂに対して第２負荷端子４３よりグランド端子４４が近く配置され、又は、電源側端子４２又は第１接点４６ａに対して第１負荷端子４１よりグランド端子４４が近く配置されることで、電源側端子４２、第１負荷端子４１、第２負荷端子４３、第１接点４６ａ、第２接点４６ｂ及びその周囲に水が付着した場合に、水によって形成されるリーク電流の経路において、電源側端子４２側とグランド端子４４との間の電気抵抗を、第１負荷端子４１及び第２負荷端子４３のうちの第１接点４６ａ又は第２接点４６ｂに接続されていない端子と電源側端子４２との間の電気抵抗よりも小さくすることができ、電源側端子４２側、グランド端子４４間のリーク電流を流れやすくして、作動していないＬＥＤ５１，５３（図７（Ｃ）参照）のいずれかの作動を抑止することができる。
【００６９】
また、図１６に示したように、固定接点として、電源に接続可能な電源側端子４２と、一方の電気負荷に接続可能な第１負荷端子４１と、他方の電気負荷に接続可能な第２負荷端子４３とを備え、電源側端子４２に対して第１負荷端子４１及び第２負荷端子４３が導通されないオフ位置と、このオフ位置から一方側に変位させて第１負荷端子４１と電源側端子４２とを導通させる第１オン位置と、オフ位置から他方側に変位させて第２負荷端子４３と電源側端子４２とを導通させる第２オン位置とに移動可能な可動接点７２を備えるスイッチとしてのウインカースイッチ７１において、固定接点として、基準電位となり得るグランド端子４４を備え、可動接点７２は、オフ位置にある場合は、電源側端子４２から離間するするとともに、第１負荷端子４１及び第２負荷端子４３のそれぞれとグランド端子４４とを導通させる。即ち、可動接点７２がオフ位置にある時に、第１接点７２ａが第１負荷端子４１に接続し、第２接点７２ｂが第２負荷端子４３に接続し、グランド接点４６ｃがグランド端子４４に接続する。
【００７０】
この構成によれば、電源側端子４２と第１負荷端子４１とが非接続、電源側端子４２と第２負荷端子４３とが非接続となるオフ位置において、電源側端子４２と第１負荷端子４１又は第２負荷端子４３との間に水が付着したとしても、第１負荷端子４１及び第２負荷端子４３とグランド端子４４とが可動接点７２を介して導通しているため、電源側端子４２から可動接点を介してグランド端子へリーク電流が流れることになり、ＬＥＤ５１，５３（図７（Ｃ）参照）の作動を抑止することができる。
【００７１】
また、図１８に示したように、固定接点として、電源に接続可能な電源側端子１０５と、一方の電気負荷に接続可能な第１負荷端子１０６と、他方の電気負荷に接続可能な第２負荷端子１０７とを備え、電源側端子１０５に対して第１負荷端子１０６及び第２負荷端子１０７が導通されないオフ位置と、このオフ位置から一方側に変位させて第１負荷端子１０６と電源側端子１０５とを導通させる第１オン位置と、オフ位置から他方側に変位させて第２負荷端子１０７と電源側端子１０５とを導通させる第２オン位置とに移動可能な可動接点１０３とを備えるスイッチとしてのウインカースイッチ１０１において、固定接点として、基準電位となり得るグランド端子１０８，１０９を備え、可動接点１０３は、オフ位置では電源側端子１０５から離間するとともに第１負荷端子１０６、第２負荷端子１０７及びグランド端子１０８，１０９に接続され、グランド端子１０８，１０９は、電源側端子１０５と第１負荷端子１０６との間、又は電源側端子１０５と第２負荷端子１０７との間に位置する。
【００７２】
この構成によれば、オフ位置において、電源側端子１０５と第１負荷端子１０６との間、電源側端子１０５と第２負荷端子１０７との間に水が付着したとしても、電源側端子１０５からは、第１負荷端子１０６、第２負荷端子１０７よりグランド端子１０８，１０９の方が近い位置にあるので、水により形成された経路の電気抵抗が小さくなり、電源側端子１０５からグランド端子１０８，１０９にリーク電流が流れやすくなることで、ＬＥＤ５１，５３（図７（Ｃ）参照）の作動を抑止することができる。
【００７３】
また、図６及び図１４に示したように、固定接点に対して可動接点４６の位置決めを行う可動接点保持機構５５を有し、可動接点保持機構５５は、オフ位置に対応するオフ位置谷部としての中央谷部２１ｈと、第１オン位置に対応する第１オン位置谷部としての左谷部２１ｍと、第２オン位置に対応する第２オン位置谷部としての右谷部２１ｎと、中央谷部２１ｈ、左谷部２１ｍ間に形成された第１山部としての左山部２１ｊと、中央谷部２１ｈ、右谷部２１ｎ間に形成された第２山部としての右山部２１ｋとからなる凹凸面２１ｄと、この凹凸面２１ｄに対して付勢手段としての圧縮コイルばね４８で付勢される押し当て片としての球体４７とを備え、球体４７が、左山部２１ｊの頂点又は右山部２１ｋの頂点に位置する時に、可動接点４６は、グランド端子４４に接続されるとともに、第１負荷端子４１と電源側端子４２、及び第２負荷端子４３と電源側端子４２をそれぞれ離間させるので、球体４７が左山部２１ｊの頂点又は右山部２１ｋの頂点に位置する時には、圧縮コイルばね４８の復元力が最大となり、フリクションが大きくなるため、第１オン位置又は第２オン位置からオフ位置に戻す時には、球体４７が左山部２１ｊ又は右山部２１ｋの頂点で停止することが考えられるが、この場合に、ウインカースイッチ１７をオフ状態になるように設定してＬＥＤ５１，５３（図７（Ｃ）参照）側へ電流を流さないようにすることができる。
【００７４】
また、可動接点４６は、ケーシングとしての支持本体４５内に配置され、グランド端子４４は、可動接点４６の移動範囲内では常に支持本体４５に覆われるので、支持本体４５内に浸入した水をグランド端子４４に付着しやすくすることができる。従って、リーク電流をグランド端子４４に流れやすくして、作動していないＬＥＤ５１，５３（図７（Ｃ）参照）のいずれかの作動を抑止することができる。このように、本実施形態のウインカースイッチ１７には防水構造を設けなくても良いので、コストを低減することができる。
【００７５】
上述した実施形態は、あくまでも本発明の一態様を示すものであり、本発明の主旨を逸脱しない範囲で任意に変形及び応用が可能である。
本発明のスイッチは、自動二輪車や、自動二輪車以外も含む鞍乗り型車両にも適用可能である。また、上記車両以外にＬＥＤ等の微小電流で作動する光源を使用するものに適用可能である。
【符号の説明】
【００７６】
１７，６１，７１，８１，１０１  ウインカースイッチ（スイッチ）
２１  ケース
２１ｄ  凹凸面
２１ｈ  中央谷部（オフ位置谷部）
２１ｊ  左山部（第１山部）
２１ｋ  右山部（第２山部）
２１ｍ  左谷部（第１オン位置谷部）
２１ｎ  右谷部（第２オン位置谷部）
４１  固定接点（第１負荷端子）
４２  固定接点（電源側端子）
４３  固定接点（第２負荷端子）
４４  固定接点（グランド端子）
４５  支持本体（ケーシング）
４６，７２，８３，１０３  可動接点
４６ａ，９１ａ，９２ａ  第１接点
４６ｂ，９１ｂ，９２ｂ  第２接点
４６ｃ  第３接点（グランド接点）
４７  球体（押し当て片）
４８  圧縮コイルばね（付勢手段）
５５  可動接点保持機構
６３，８７，８９，１０８，１０９  グランド端子
８４，８５，１０５  電源側端子
８６，１０６  第１負荷端子
８８，１０７  第２負荷端子
９１  第１可動接点（可動接点）
９１ｃ，９２ｃ  グランド接点
９２  第２可動接点（可動接点）
１０３ａ  第１接点
１０３ｂ  第２接点
１０３ｃ  第３接点
１０３ｄ  第４接点
【図１】
2015195138.tif 000003
【図２】
2015195138.tif 000004
【図３】
2015195138.tif 000005
【図４】
2015195138.tif 000006
【図５】
2015195138.tif 000007
【図６】
2015195138.tif 000008
【図７】
2015195138.tif 000009
【図８】
2015195138.tif 000010
【図９】
2015195138.tif 000011
【図１０】
2015195138.tif 000012
【図１１】
2015195138.tif 000013
【図１２】
2015195138.tif 000014
【図１３】
2015195138.tif 000015
【図１４】
2015195138.tif 000016
【図１５】
2015195138.tif 000017
【図１６】
2015195138.tif 000018
【図１７】
2015195138.tif 000019
【図１８】
2015195138.tif 000020